(57)【要約】【課題】ユーザにとってよりわかりやすい画像表示を提示する撮像装置を提供する。【解決手段】撮像装置は、被写体像を撮像して画像データを生成する撮像部と、ユーザによる撮影指示の操作を受け付ける操作部と、画像データに対して画像処理を行って記録用画像データを生成可能な画像処理部と、撮像部により生成された画像データに基づく画像を表示可能な表示部と、表示部での画像表示を制御する制御部と、を備える。制御部は、操作部が受け付けた撮影指示の操作に基づいて、撮像部により生成された画像データに対して画像処理を行うように画像処理部を制御する。制御部は、画像処理と並行して、撮像部により撮像された画像データに基づく画像（６０１）と、画像処理の進捗状況を示す情報（６０２）とを表示部に表示させ、画像処理の完了後に、当該画像処理により生成された記録用画像データに基づく画像（７０１）を表示部に表示させる。【選択図】図５
2014075782.tif 000002
【特許請求の範囲】
【請求項１】
被写体像を撮像して画像データを生成する撮像部と、
ユーザによる撮影指示の操作を受け付ける操作部と、
前記画像データに対して画像処理を行って記録用画像データを生成可能な画像処理部と、
前記撮像部により生成された画像データに基づく画像を表示可能な表示部と、
前記表示部での画像表示を制御する制御部と、を備え、
前記制御部は、
前記操作部が受け付けた撮影指示の操作に基づいて、前記撮像部により生成された画像データに対して画像処理を行うように前記画像処理部を制御し、
前記画像処理と並行して、前記撮像部により撮像された画像データに基づく画像と、前記画像処理の進捗状況を示す情報とを前記表示部に表示させ、前記画像処理の完了後に、当該画像処理により生成された記録用画像データに基づく画像を前記表示部に表示させる、
撮像装置。
【請求項２】
前記画像処理は、複数の画像データを合成する処理である、請求項１記載の撮像装置。
【請求項３】
前記進捗状況を示す情報は、前記画像処理が完了するまでの時間を示す情報である、請求項１または２記載の撮像装置。
【請求項４】
前記制御部は、所定の撮影モードにおいて前記操作部が撮影指示の操作を受け付けたときにのみ、前記画像処理と並行して、前記撮像部により撮像された画像データに基づく画像と、前記画像処理の進捗状況を示す情報とを前記表示部に表示させる動作を行う、
請求項１記載の撮像装置。
【請求項５】
前記制御部は、前記操作部で受け付けた第１の撮影指示の操作に基づいて実行された第１の画像処理の実行中に前記操作部が第２の撮影指示の操作を受け付けたときは、前記第１の操作指示に基づき生成された記録用画像データを前記表示部に表示させず、前記第２の撮影指示の操作に基づいて生成された記録用画像データを前記表示部に表示させる、
請求項１記載の撮像装置。
【請求項６】
撮像装置の表示部に画像を表示する表示方法であって、
撮像装置の操作部が受け付けた撮影指示の操作に基づいて、撮像部により生成された画像データに対して画像処理を行い、
前記画像処理と並行して、前記撮像部により撮像された画像データに基づく画像と、前記画像処理の進捗状況を示す情報とを前記表示部に表示し、
前記画像処理の完了後に、当該画像処理により生成された記録用画像データに基づく画像を前記表示部に表示する、
表示方法。
【請求項７】
前記画像処理は、複数の画像データを合成する処理である、請求項６記載の表示方法。
【請求項８】
前記進捗状況を示す情報は、前記画像処理が完了するまでの時間を示す情報である、請求項６または７記載の表示方法。
【請求項９】
所定の撮影モードにおいて前記操作部が撮影指示の操作を受け付けたときにのみ、前記画像処理と並行して、前記撮像部により撮像された画像データに基づく画像と、前記画像処理の進捗状況を示す情報とを前記表示部に表示させる動作を行う、
請求項６記載の表示方法。
【請求項１０】
前記操作部で受け付けた第１の撮影指示の操作に基づいて実行された第１の画像処理の実行中に前記操作部が第２の撮影指示の操作を受け付けたときは、前記第１の操作指示に基づき生成された記録用画像データを前記表示部に表示させず、前記第２の撮影指示の操作に基づいて生成された記録用画像データを前記表示部に表示させる、
請求項６記載の表示方法。
【発明の詳細な説明】
【技術分野】
【０００１】
本開示は、撮影待機中において表示部にスルー画像を表示可能な撮像装置に関する。
【背景技術】
【０００２】
デジタルカメラ等の撮像装置は、液晶モニタ等の表示部に、撮像素子によって撮像された画像データに基づく画像（スルー画像）をリアルタイムに表示することが可能である。ユーザはスルー画像を確認することにより、構図等の決定を行い、撮影を行うことができる。
【０００３】
撮像装置においては、画像の撮像直後に、ユーザが撮像した画像を確認できるように、撮像されて画像処理された画像が一時的に表示（このような表示を「レビュー表示」という）されるものがある。レビュー表示の間は次の撮影が行えず、レビュー表示終了後にスルー画像表示が再開されると、次の撮影が可能となる。
【０００４】
よって、撮影動作の後に素早くスルー画像の表示を再開できれば、ユーザが前の撮影をしてから次の撮影が可能になるまでの撮影間隔を短縮することができる。
【０００５】
例えば特許文献１は、静止画像の画像データの圧縮動作と次のスルー画像の露光動作とを並行して行うことで撮影可能間隔を短縮できる構成を開示している。
【先行技術文献】
【特許文献】
【０００６】
【特許文献１】特開２００５−１５９５３８号公報
【発明の概要】
【発明が解決しようとする課題】
【０００７】
しかしながら、撮影の後、画像処理と並行してスルー画像が表示部に表示されていると、画像処理が完了次第、レビュー表示が開始されることになる。このようにすると、スルー画像の表示が突然終了し、レビュー表示が突然開始されるため、ユーザの混乱を招く可能性があった。
【０００８】
本開示は、ユーザにとってよりわかりやすい画像表示を提示する撮像装置を提供する。
【課題を解決するための手段】
【０００９】
本開示に係る撮像装置は、被写体像を撮像して画像データを生成する撮像部と、ユーザによる撮影指示の操作を受け付ける操作部と、画像データに対して画像処理を行って記録用画像データを生成可能な画像処理部と、撮像部により生成された画像データに基づく画像を表示可能な表示部と、表示部での画像表示を制御する制御部と、を備える。制御部は、操作部が受け付けた撮影指示の操作に基づいて、撮像部により生成された画像データに対して画像処理を行うように画像処理部を制御する。制御部は、画像処理と並行して、撮像部により撮像された画像データに基づく画像と、画像処理の進捗状況を示す情報とを表示部に表示させ、画像処理の完了後に、当該画像処理により生成された記録用画像データに基づく画像を表示部に表示させる。
【発明の効果】
【００１０】
本開示によれば、ユーザにとってよりわかりやすい画像表示を提示する撮像装置を提供することができる。
【図面の簡単な説明】
【００１１】
【図１】本実施形態に係るデジタルカメラの正面図
【図２】本実施形態に係るデジタルカメラの背面図
【図３】本実施形態に係るデジタルカメラのブロック図
【図４】本実施形態に係る撮影モード中のデジタルカメラの処理の流れを示すフローチャート
【図５】本実施形態に係るデジタルカメラによる、（ａ）合成処理中における表示例を示す図、及び（ｂ）レビュー表示の一例を示す図
【図６】本実施形態に係るデジタルカメラの動作タイミングの一例を示す図
【図７】スルー画像表示、プログレスバー表示及びレビュー画像表示における、撮像画像と表示画像の関係を説明した図
【図８】他の実施形態に係るデジタルカメラの動作タイミングの一例を示す図
【図９】他の実施形態に係るデジタルカメラの動作タイミングの別の例を示す図
【図１０】スルー画像とともに表示される、進捗状況を示す情報の他の例を示す図
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者（ら）は、当業者が本開示を十分に理解するために添付図面および以下の説明を提供するのであって、これらによって特許請求の範囲に記載の主題を限定することを意図するものではない。
【００１４】
以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１５】
〔１．実施の形態１〕
以下、図１〜図１０を参照して、本実施形態に係るデジタルカメラ（撮像装置の一例）について説明する。デジタルカメラは、動画及び静止画を撮像可能な撮像装置である。
【００１６】
デジタルカメラは、ユーザによる撮影指示に基づいて、ＣＣＤイメージセンサにより生成された画像データに対して合成処理を行う。その合成処理と並行して、デジタルカメラは、図５に示すように、ＣＣＤイメージセンサにより撮像された画像データに基づくスルー画像６０１と合成処理の進捗状況を示す情報（例えば、進捗状況に応じて長さが変化するプログレスバー）６０２とを液晶モニタに表示させる。そして、合成処理の完了後に、合成処理により生成された記録用画像データに基づくレビュー画像を液晶モニタに表示させる。
【００１７】
以上のように、スルー画像に重ねて合成処理の進捗状況を示すプログレスバーを表示することにより、合成処理の終了タイミング及びレビュー表示の開始タイミングを、ユーザに知らせるまたは予測させることができる。これにより、デジタルカメラにおいて、ユーザにとってわかりやすいインタフェースを提供することができる。以下、デジタルカメラの詳細を説明する。
【００１８】
〔１−１．デジタルカメラの構成〕
図１は、本実施形態に係るデジタルカメラの正面図である。図１に示すように、デジタルカメラ１００は、その正面に光学系１１０を収納するレンズ鏡筒１１５及びフラッシュ１６０を備える。デジタルカメラ１００は、その上面に静止画レリーズ釦２０１、ズームレバー２０２、電源釦２０３、及びシーン切換ダイヤル２０９等を含む操作ユニット１５０を、備える。
【００１９】
図２は、本実施形態に係るデジタルカメラの背面図である。図２に示すように、デジタルカメラ１００は、その背面に液晶モニタ１２３、中央釦２０４、十字釦２０５、動画レリーズ釦２０６、及びモード切換スイッチ２０７等を含む操作ユニット１５０を備える。
【００２０】
図３は、本実施形態に係るデジタルカメラのブロック図である。図３に示すように、デジタルカメラ１００は、光学系１１０、ＣＣＤイメージセンサ１２０、ＡＦＥ（Ａｎａｌｏｇ  Ｆｒｏｎｔ  Ｅｎｄ）１２１、画像処理部１２２、バッファメモリ１２４、液晶モニタ１２３、コントローラ１３０、カードスロット１４１、メモリカード１４０、フラッシュメモリ１４２、操作ユニット１５０及びフラッシュ１６０を備える。
【００２１】
光学系１１０は、被写体像を形成する。光学系１１０は、フォーカスレンズ１１１、ズームレンズ１１２、絞り１１３及びシャッタ１１４を有する。他の実施形態として、光学系１１０は、光学式手ぶれ補正（ＯＩＳ：Ｏｐｔｉｃａｌ  Ｉｍａｇｅ  Ｓｔａｂｉｌｉｚｅｒ）レンズを含むものであってもよい。また、光学系１１０に含まれるレンズは、何枚のレンズから構成されるものであってもよいし、何群のレンズから構成されるものであってもよい。
【００２２】
フォーカスレンズ１１１は、被写体のフォーカス状態を調節するレンズである。ズームレンズ１１２は、被写体の画角を調節するレンズである。絞り１１３は、ＣＣＤイメージセンサ１２０に入射する光量を調節する。シャッタ１１４は、ＣＣＤイメージセンサ１２０に入射する光の露出時間を調節する。フォーカスレンズ１１１、ズームレンズ１１２、絞り１１３及びシャッタ１１４それぞれは、ＤＣモータ又はステッピングモータ等の駆動ユニットにより、コントローラ１３０から発行される制御信号に従って駆動される。
【００２３】
ＣＣＤイメージセンサ１２０は、光学系１１０により形成された被写体像を撮像する撮像素子である。ＣＣＤイメージセンサ１２０は、被写体像を写すフレーム（コマ）の画像データを生成する。
【００２４】
ＡＦＥ（Ａｎａｌｏｇ  Ｆｒｏｎｔ  Ｅｎｄ）１２１は、ＣＣＤイメージセンサ１２０により生成された画像データに対して、各種処理を施す。具体的には、ＡＦＥ１２１は、相関二重サンプリングによる雑音抑圧、アナログゲインコントローラによるＡ／Ｄコンバータの入力レンジ幅への増幅、Ａ／ＤコンバータによるＡ／Ｄ変換等の処理を施す。
【００２５】
画像処理部１２２は、ＡＦＥ１２１により各種処理が施された画像データに対して、所定の画像処理を施す。画像処理部１２２は、画像データに対して、スミア補正、ホワイトバランス補正、ガンマ補正、ＹＣ変換処理、電子ズーム処理、圧縮処理、縮小処理、拡大処理等の処理を施す。このような処理を画像データに対して実行することによって、画像処理部１２２は、表示用画像（スルー画像）データ及び記録用画像データを生成する。本実施形態では、画像処理部１２２は、プログラムを実行するマイクロコンピュータである。しかしながら、他の実施形態では、画像処理部１２２は、ハードワイヤードな電子回路であってもよい。また、画像処理部１２２は、コントローラ１３０等と一体的に構成されるものであってもよい。
【００２６】
画像処理部１２２は、コントローラ１３０からの命令に基づいて、画像合成部１２２ａの処理、及び表示用画像データ作成部１２２ｂの処理を実行する。複数の画像データを合成する必要がある場合には、画像処理部１２２は、コントローラ１３０からの命令に基づいて、画像合成部１２２ａの処理を実行する。画像合成部１２２ａの処理の詳細については、後述される。
【００２７】
コントローラ１３０は、デジタルカメラ１００全体の動作を統括制御する。コントローラ１３０は、ＲＯＭ及びＣＰＵ等により構成される。ＲＯＭには、ファイル制御、オートフォーカス制御（ＡＦ制御）、自動露出制御（ＡＥ制御）、フラッシュ１６０の発光制御に関するプログラムの他、デジタルカメラ１００全体の動作を統括制御するためのプログラムが、格納されている。
【００２８】
コントローラ１３０は、画像処理部１２２により各種処理が施された画像データを、静止画データ又は動画データとして、メモリカード１４０及びフラッシュメモリ１４２（以下、メモリカード１４０等）に記録する。コントローラ１３０は、本実施形態では、プログラムを実行するマイクロコンピュータであるが、他の実施形態では、ハードワイヤードな電子回路であってもよい。コントローラ１３０は、画像処理部１２２等と一体的に構成されるものであってもよい。
【００２９】
液晶モニタ１２３は、スルー画像及び記録画像等の画像を表示する。スルー画像及び記録画像は、画像処理部１２２により生成される。スルー画像は、デジタルカメラ１００が撮影モードに設定されている間に一定の時間間隔で連続的に生成される一連の画像である。一連の画像に対応する一連の画像データは、一定の時間間隔でＣＣＤイメージセンサ１２０により生成される。ユーザは、液晶モニタ１２３に表示されるスルー画像を参照することにより、被写体の構図を確認しながら撮影することができる。
【００３０】
記録画像は、メモリカード１４０等の記録媒体に記録されている静止画データ又は動画データを、デコード（伸張）することにより得られる画像である。記録画像は、デジタルカメラ１００が再生モードに設定されている時に液晶モニタ１２３上に表示される。また、デジタルカメラ１００が撮影モードに設定されており、撮影動作により新たに静止画データ又は動画データが記録されたときに、その撮影動作の完了の直後に、一時的に、撮影動作により記録された画像が、レビュー表示として液晶モニタ１２３上に表示される（以下、レビュー表示される画像を「レビュー画像」という）。液晶モニタ１２３の代わりに、有機ＥＬディスプレイ等のような、画像を表示可能な任意のディスプレイが、使用されてもよい。
【００３１】
バッファメモリ１２４は、画像処理部１２２及びコントローラ１３０のワークメモリとして機能する揮発性の記憶媒体である。本実施形態では、バッファメモリ１２４はＤＲＡＭである。
【００３２】
フラッシュメモリ１４２は、デジタルカメラ１００の内部メモリである。フラッシュメモリ１４２は、不揮発性の記録媒体である。フラッシュメモリ１４２は、カスタマイズ項目登録領域及び現在値保持領域を有する。
【００３３】
カードスロット１４１には、メモリカード１４０が着脱可能に挿入される。カードスロット１４１は、メモリカード１４０と電気的及び機械的に接続される。
【００３４】
メモリカード１４０は、デジタルカメラ１００の外部メモリである。メモリカード１４０は、不揮発性の記録媒体である。
【００３５】
操作ユニット１５０は、ユーザから操作を受け付ける操作インタフェースである。操作ユニット１５０は、デジタルカメラ１００の外装に配置される操作釦や操作ダイヤル等の総称である。操作ユニット１５０は、静止画レリーズ釦２０１、動画レリーズ釦２０６、ズームレバー２０２、電源釦２０３、中央釦２０４、十字釦２０５、モード切換スイッチ２０７、及びシーン切換ダイヤル２０９を含む。操作ユニット１５０は、ユーザによる操作を受け付けると、直ちに操作の内容に対応する信号を、コントローラ１３０に送信する。
【００３６】
静止画レリーズ釦２０１は、静止画記録のタイミングを指示するための押下式スイッチである。動画レリーズ釦２０６は、動画記録の開始／終了のタイミングを指示するための押下式スイッチである。コントローラ１３０は、レリーズ釦２０１、２０６が押下されたタイミングに合わせて静止画データ又は動画データの生成を画像処理部１２２等に指示し、メモリカード１４０等に格納する。
【００３７】
ズームレバー２０２は、画角を広角端と望遠端との間で調節するためのレバーである。コントローラ１３０は、ズームレバー２０２に対するユーザの操作に応じて、ズームレンズ１１２を駆動する。
【００３８】
電源釦２０３は、デジタルカメラ１００の各部への電力供給のＯＮとＯＦＦとを切り換えるためのスライド式スイッチである。
【００３９】
中央釦２０４及び十字釦２０５は、押下式スイッチである。ユーザは、中央釦２０４及び十字釦２０５を操作することにより、液晶モニタ１２３に様々な設定画面（図示しない設定メニュー画面及びクイック設定メニュー画面を含む）を、表示することができる。この設定画面において、ユーザは、様々な撮影条件及び再生条件に関する設定項目の値を、設定することができる。
【００４０】
モード切換スイッチ２０７は、デジタルカメラ１００を撮影モード及び再生モードに切り換えるためのスライド式スイッチである。
【００４１】
シーン切換ダイヤル２０９は、シーンモードを切り換えるダイヤルである。シーンモードとは、撮影状況に応じて設定されるモードの総称である。撮影状況に影響を与える要因には、各被写体や撮影環境等が含まれる。シーン切換ダイヤル２０９の切り換えによって、複数のシーンモードの中のいずれか１つのシーンモードが設定される。
【００４２】
複数のシーンモードには、例えば、風景モード、人物モード、夜景モード、及び逆光モードが含まれる。例えば、人物モードとは、人物の肌色が適正な色合いになるように撮影する場合に適したモードである。逆光モードとは、明暗差が大きい環境で撮影する場合に適したモードである。逆光モードは、連写合成処理を行うモードである。連写合成処理とは、異なる設定で複数回撮影を行い、得られた複数の画像データを合成することにより１つの画像データを得る処理である。一般的に、連写合成処理により画像データを得るのにかかる時間は、１回の撮影で１つの画像データを得るのにかかる時間よりも長くなる。連写合成処理は、所定の画像処理の一例である。
【００４３】
〔１−２．撮影モードにおける動作〕
図４は、本実施形態に係る撮影モード中のデジタルカメラの処理の流れを示すフローチャートである。以下では、図４を参照して、撮影モードにおける動作について説明する。なお、以下の説明では、静止画撮影時の動作について説明する。
【００４４】
ユーザが電源釦２０３を操作してデジタルカメラ１００の電源を入れると、コントローラ１３０は、モード切換スイッチ２０７の設定を参照する（Ｓ４０１）。詳細には、コントローラ１３０は、モード切換スイッチ２０７の設定が撮影モードであるか再生モードであるかを、判断する。そして、モード切換スイッチ２０７が再生モードに設定されていた場合（Ｓ４０１でＮｏ）、コントローラ１３０は、撮影モードに関する処理を終了する。
【００４５】
モード切換スイッチ２０７が撮影モードに設定されていた場合（Ｓ４０１でＹｅｓ）、コントローラ１３０は、撮影モードにおける撮影待機状態となり、ユーザからの撮影指示に応じて、設定されているシーンモードに基づいた撮影動作を行う。
【００４６】
ここで、シーンモードについて説明する。シーンモードは、デジタルカメラ１００に予め登録されている複数のシーンモードの中から選択される。例えば、ユーザが操作ユニット１５０を操作していずれかのシーンモードを選択すると、選択されたシーンモードがコントローラ１３０に認識される。より具体的には、風景モード、人物モード、夜景モード、及び逆光モード等の中のいずれか１つのシーンモードがユーザにより選択され、コントローラ１３０に認識される。
【００４７】
コントローラ１３０は、ＣＣＤイメージセンサ１２０により生成された画像データ（センサ画像データ）を認識する（Ｓ４２６）。続いて画像処理部１２２は、コントローラ１３０が設定したシーンモードに応じた処理をセンサ画像データに対して実行することによって、表示用の画像データを作成する（Ｓ４２９）。この表示用の画像データに基づいて、スルー画像が液晶モニタ１２３に表示される（Ｓ４２９）。
【００４８】
スルー画像を表示した状態で、コントローラ１３０は、静止画レリーズ釦２０１の押下状態を検出する（Ｓ４３０）。静止画レリーズ釦２０１の押下が検出されると（Ｓ４３０でＹｅｓ）、コントローラ１３０は、操作ユニット１５０で設定されたシーンモードを参照する（Ｓ４３１）。なお、以下では特にシーンモードが逆光モードである場合について詳細に説明するが、他のシーンモードである場合、各シーンモードに応じた処理が行われる。
【００４９】
シーンモードが逆光モードであった場合（Ｓ４３１でＹｅｓ）、コントローラ１３０は逆光モードにおける記録用の画像データの作成処理を行う（Ｓ４３４）。詳細には、コントローラ１３０は、連写合成処理によって、逆光モードにおける記録用画像データを作成する。より詳細には、コントローラ１３０は露出が異なる３枚の画像を撮像し、それらの画像を合成することで１枚の画像データを生成する。
【００５０】
ここで、逆光モードにおける連写合成処理について説明する。逆光のように明暗差が大きい環境において連写合成処理を行う場合は、露出が異なる画像データの枚数が多いほど、暗いところから明るいところまでをより自然な色合いとした画像を作成できる。本実施の形態では、異なる露出で撮像された３枚の画像を合成するものとして説明する。
【００５１】
コントローラ１３０は、まず１枚目の画像を取得するために光学系１１０に対して露出アンダーになるように命令を発行して、動作させる。この設定で撮像動作を行うことにより、画像データにおける相対的に明るい領域がより適正露出に近くなる画像データが得られる。この画像データは露出アンダーで撮像した画像データであるので、２枚目、３枚目の画像データと比較すると全体的に暗い画像データとなる。画像処理部１２２はＡＦＥ１２１から出力された画像データに対して、画像データにおける相対的に明るい領域に適した画像処理を実行する。そして、コントローラ１３０は画像データをバッファメモリ１２４に保存する。
【００５２】
続いて、コントローラ１３０は、２枚目の画像を取得するために光学系１１０に対して、露出アンダーと露出オーバーの中間の露出となるように命令を発行して、動作させる。この設定で撮像動作を行うことにより、画像データにおける中間的な明るさの領域がより適正露出に近くなる画像データが得られる。画像処理部１２２はＡＦＥ１２１から出力された画像データに対して、中間的な明るさの領域に適した画像処理を実行する。そして、コントローラ１３０は画像データをバッファメモリ１２４に保存する。
【００５３】
続いて、コントローラ１３０は、３枚目の画像を取得するために光学系１１０に対して露出オーバーになるように命令を発行して、動作させる。この設定で撮像動作を行うことにより、画像データにおける相対的に暗い領域がより適正露出に近くなる画像データが得られる。この画像データは露出オーバーで撮像した画像データであるので、１枚目、２枚目の画像データと比較すると全体的に明るい画像データとなる。画像処理部１２２はＡＦＥ１２１から出力された画像データに対して、画像データにおける相対的に暗い領域に適した画像処理を実行し、バッファメモリ１２４に保存する。
【００５４】
以上のようにして異なる露出で連続して撮像された３枚の画像データに対して合成処理が行われる。
【００５５】
このため、コントローラ１３０は、記録用の画像データを作成するために、画像合成部１２２ａに対してバッファメモリ１２４に保存された３枚の画像データを合成する処理を指示する（Ｓ４３６）。画像合成部１２２ａは、この指示を受けて３枚の画像データの合成処理を開始する。合成処理は、図４のフローチャートに示すコントローラ１３０により実行される他の処理と並行して、画像合成部１２２ａにより実行される。また、コントローラ１３０は、画像合成部１２２ａと定期的に通信することにより、合成処理の進捗状況を把握する（後述）。
【００５６】
その後、コントローラ１３０は、再び、モード切換スイッチ２０７によって設定されるモード（撮影モード、再生モード）を参照する処理を実行する（Ｓ４０１）。撮影モードが継続されていれば、前述のように、コントローラ１３０がＣＣＤイメージセンサ１２０により生成された画像データを認識し（Ｓ４２６）、表示用の画像データを作成することで、スルー画像が液晶モニタ１２３に表示される（Ｓ４２９）。
【００５７】
スルー画像表示状態で、コントローラ１３０が、ユーザによる静止画レリーズ釦２０１の押下を検出しなかった場合（Ｓ４３０でＮｏ）、画像合成部１２２ａが合成処理を実行中であるかどうかを判断する（Ｓ４４０）。具体的には、コントローラ１３０がステップＳ４３６にて画像合成部１２２ａに合成処理を指示済みであり、かつ合成処理の終了を通知されていない場合、合成処理を実行中であると判断する。
【００５８】
画像合成部１２２ａによる合成処理が実行中でないと判断した場合（Ｓ４４０でＮｏ）、コントローラ１３０は、再び、モード切換スイッチ２０７によって設定されるモード（撮影モード、再生モード）を参照する処理（Ｓ４０１）を実行する。
【００５９】
一方、画像合成部１２２ａによる合成処理が実行中であると判断した場合（Ｓ４４０でＹｅｓ）、コントローラ１３０は、画像合成部１２２ａから、先に画像合成部１２２ａに指示をした合成処理の進捗状況を取得する（Ｓ４４１）。コントローラ１３０は、取得した進捗状況に基づき、合成処理が終了したか否かを判断する（Ｓ４４２）。
【００６０】
画像合成部１２２ａより取得した進捗状況により、合成処理が終了していないと判断した場合（Ｓ４４２でＮｏ）、コントローラ１３０は、合成処理の進捗状況を示す情報として、プログレスバーをスルー画像上に重ねて液晶モニタ１２３に表示する（Ｓ４４３）。
【００６１】
図５（ａ）は、デジタルカメラ１００の合成処理中における表示例を示す図である。同図に示すように、スルー画像６０１に重ねて、合成処理の進捗状況を示すプログレスバー６０２が表示されている。このプログレスバー６０２を参照することによって、ユーザは画像の合成処理があとどれくらいで終わるのかを予測することができる。
【００６２】
また、合成処理が終了したと判断した場合（Ｓ４４２でＹｅｓ）、コントローラ１３０は、合成処理によって生成された記録用画像データを記録媒体、例えばメモリカード１４０に記録する処理を実行する（Ｓ４４４）。その後、コントローラ１３０は、表示用画像データの表示（スルー画像表示）およびプログレスバーの表示を終了し、記録用画像データに基づく画像（レビュー画像）を液晶モニタ１２３に表示（レビュー表示）する（Ｓ４４５）。
【００６３】
図５（ｂ）は、デジタルカメラ１００のレビュー表示の一例を示す図である。レビュー画像７０１を表示している間、スルー画像は表示しない。コントローラ１３０は、あらかじめ設定された所定時間（例えば３秒間）だけレビュー表示を実行した後、レビュー表示を終了させる。レビュー表示が終了したら、コントローラ１３０は、再び、モード切換スイッチ２０７によって設定されるモードを参照する処理を実行する（Ｓ４０１）。
【００６４】
なお、シーンモードが逆光モード以外であった場合（Ｓ４３１でＮｏ）、画像処理部１２２は、そのシーンモードに適した画像処理を実行し、記録用の画像データを作成する（Ｓ４３３）。例えば、人物モードと判断した場合は、人物の肌色が自然な色合いになるように画像処理を行って記録用の画像データを作成する。
【００６５】
各シーンモードに対応した記録用画像データを作成すると、コントローラ１３０は、記録用画像データをメモリカード１４０に記録する処理を実行し（Ｓ４４４）、液晶モニタ１２３に所定時間レビュー表示する（Ｓ４４５）。レビュー表示が終了すると、コントローラ１３０は、再び、モード切換スイッチ２０７によって設定されるモードを参照する処理を実行する（Ｓ４０１）。
【００６６】
上記の一連の動作は、ユーザが、モード切換スイッチ２０７を再生モードに変更するか（Ｓ４０１でＮｏ）、電源をオフにするまで繰り返し実行される。なお、モード切換スイッチ２０７を再生に変更した場合（Ｓ４０１でＮｏ）において、画像合成処理が終了していなければ、画像合成処理の終了を待って、再生モードに遷移してもよいし、先に再生モードに遷移し、その後画像合成処理が終了次第、合成処理後の画像データを再生するようにしてもよい。
【００６７】
図６は、本実施形態に係る撮影処理、合成処理、スルー画像表示、プログレスバー表示、レビュー画像表示について、逆光モードでの撮影が行われた場合を例に取り、それぞれの動作タイミングを時系列で示したものである。
【００６８】
まず、コントローラ１３０は、モード切換スイッチ２０７の設定を撮影モードであると判断した場合、スルー画像表示を行う（Ｓ４２９）。続いて、コントローラ１３０は、時刻ｔ１にユーザからの逆光モードでの撮影指示を受けた場合（Ｓ４３１でＹｅｓ）、合成用の画像データ３枚分の生成を行う（Ｓ４３４）。
【００６９】
時刻ｔ２に合成用の画像データの生成が終了すると、コントローラ１３０からの指示（Ｓ４３６）により、画像合成部１２２ａにて合成処理が開始される。それとほぼ同時に、表示用画像データ作成部１２２ｂによる表示用画像データの作成およびスルー画像表示を再開し（Ｓ４２９）、デジタルカメラ１００は、撮影指示を受付可能な撮影待機状態となる。また、コントローラ１３０は、画像合成部１２２ａにて行われている合成処理の進捗状況を取得（Ｓ４４１）し、プログレスバーをスルー画像上に表示する（Ｓ４４３）。つまり、画像合成部１２２ａが合成処理を行っている間、液晶モニタ１２３に、スルー画像とともにプログレスバー６０２が表示される（図６（ａ）参照）。このような表示によって、ユーザは合成処理の完了を待ちながらも、次のシャッターチャンスに備えてスルー画像を確認することができると共に、合成処理完了のタイミングの目安を知ることができる。
【００７０】
続いて、時刻ｔ３にて合成処理が終了すると（Ｓ４４２でＹｅｓ）、スルー画像表示およびプログレスバー表示が終了し、合成処理後の画像データのレビュー表示が行われる（Ｓ４４５）。
【００７１】
その後、時刻ｔ４にレビュー画像表示が終了すると、スルー画像表示（Ｓ４２９）が再開され、デジタルカメラ１００は、次の撮影指示を待つ撮影待機状態となる。
【００７２】
図７は、スルー画像表示、プログレスバー表示及びレビュー画像表示における、撮像画像と表示画像の関係を説明した図である。図７に示すように、デジタルカメラ１００において所定の周期（フレーム）で画像１，２，・・・が撮像される。液晶モニタ１２３には、撮像された画像１，２，・・・がスルー画像として表示される。画像４の撮像時にユーザによる撮影指示の操作があると、合成処理用の画像Ａ、Ｂ、Ｃが撮像される。合成処理用の画像Ａ、Ｂ、Ｃの撮像が終了すると、画像５,６,７が撮像される。画像Ａ、Ｂ、Ｃに対しては合成処理が実施され、その合成処理中、画像Ａ、Ｂ、Ｃについては、スルー画像は表示されず、画像５,６,７について、画像５,６,７のスルー画像とともにプログレスバーが表示される。画像Ａ、Ｂ、Ｃの合成処理の終了後、合成画像のレビュー画像が一定期間表示され、レビュー表示の終了後、通常のスルー画像表示に戻る。
【００７３】
〔１−３．効果、等〕
以上のように、上記の実施形態のデジタルカメラ１００は、被写体像を撮像して画像データを生成するＣＣＤイメージセンサ１２０と、ユーザによる撮影指示の操作を受け付ける操作ユニット１５０と、画像データに対して合成処理を行って記録用画像データを生成可能な画像合成部１２２ａと、ＣＣＤイメージセンサ１２０により生成された画像データに基づく画像を表示可能な液晶モニタ１２３と、液晶モニタ１２３での画像表示を制御するコントローラ１３０とを備える。コントローラ１３０は、操作ユニット１５０が受け付けた撮影指示の操作に基づいて、ＣＣＤイメージセンサ１２０により生成された画像データに対して合成処理を行うように画像合成部１２２ａを制御する。コントローラ１３０は、画像合成部１２２ａによる合成処理と並行して、ＣＣＤイメージセンサ１２０により撮像された画像データに基づくスルー画像６０１と、合成処理の進捗状況を示すプログレスバー６０２とを液晶モニタ１２３に表示させ、合成処理の完了後に、合成処理により生成された記録用画像データに基づくレビュー画像７０１を液晶モニタ１２３に表示させる。
【００７４】
これにより、合成処理と並行してスルー画像を表示して次の撮影に備えることができる。さらに、スルー画像に重ねて合成処理の進捗状況を示すプログレスバーを表示することにより、合成処理の終了タイミング及びレビュー表示の開始タイミングをユーザに知らせるまたは予測させることができる。したがって、デジタルカメラにおいて、ユーザにとってわかりやすいインタフェースを提供することができる。
【００７５】
〔２．他の実施形態〕
以上のように、本出願において開示する技術の例示として、実施の形態１を説明した。しかしながら、本開示における技術は、これに限定されず、適宜、変更、置き換え、付加、省略などを行った実施の形態にも適用可能である。実施の形態１で説明した各構成要素を適宜組み合わせて、新たな実施の形態とすることも可能である。そこで、以下、他の実施の形態を例示する。
【００７６】
（１）上記の実施形態の制御において、画像合成中（連写合成画像のレビュー表示前）に新たな撮影が行われた際には、先に撮影が行われた合成画像のレビュー表示は行わず、最新に撮影した画像に対してのみレビュー表示を行うようにしてもよい。図８は、逆光モードで連写撮影を行い、合成処理期間中に次の単写撮影が行われた例について、図６と同様にそれぞれの処理のタイミングを時系列で示した図である。時刻ｔ５において、撮影指示に応じて逆光モードで連写撮影を開始する。また、時刻ｔ６から合成処理、スルー画像表示およびプログレスバー表示がそれぞれ開始される。
【００７７】
ここで、合成処理が終わる前の時刻ｔ７に、シーンモードを切り換える等して単写撮影の指示が行われた場合、コントローラ１３０はこの撮影指示を受け付けた時点でスルー画像表示とプログレスバー表示を終了させる。時刻ｔ８に撮影が完了すると、コントローラ１３０は、その単写撮影画像のレビュー画像表示を開始する。レビュー画像表示が終わり、時刻ｔ１０になると、コントローラ１３０は、再度スルー画像を表示し、撮影待機状態となる。時刻ｔ９にて、先に撮影指示のあった連写合成画像の合成処理は終了する。しかし、時刻ｔ９の前の時刻ｔ７に、後の撮影指示を受け付けている。このため、先の撮影に対応する連写合成画像のレビュー表示は行われない。
【００７８】
このようにすることにより、先に撮影した画像データのレビュー表示前に、さらに次の撮影を行った場合は、ユーザが最後に撮影した画像データのみレビュー表示することになる。したがって、レビュー表示の待ち時間が短縮され、その分スルー画像の表示期間が長くなるため、ユーザの利便性が向上する。
【００７９】
また、図９は、逆光モードで連写撮影を行い、その合成処理期間中にさらに次の逆光モードでの連写撮影が行われた場合の、それぞれの処理のタイミングを時系列で示した図である。時刻ｔ１１において、最初の逆光モードでの撮影指示に応じて、コントローラ１３０は逆光モードで連写撮影を開始する。これに伴い、時刻ｔ６から、１回目の撮影指示に対する合成処理、スルー画像表示およびプログレスバー表示がそれぞれ開始される。その後、合成処理中の時刻ｔ１３において、２回目の撮影指示を受けると、それに応じてコントローラ１３０は逆光モードで連写撮影を行う。２回目の連射撮影の開始に伴い、１回目の撮影指示に対するスルー画像表示およびプログレスバー表示は停止される。そして、時刻ｔ１４において、２回目の撮影が完了すると、２回目の撮影指示に対する合成処理、スルー画像表示およびプログレスバー表示がそれぞれ開始される。その後、時刻ｔ１５にて、２回目の撮影指示に対する合成処理が終了すると、２回目の撮影指示に対する合成画像が一定期間Ｔの間レビュー表示される。
【００８０】
以上のように、１回目の撮影による画像合成処理の終了前に２回目の撮影が行われたときに、最新に撮影された画像のレビュー画像を表示するようにしてもよい。これにより、２回の撮影を行った際に、後の撮影に対するレビュー画像の確認後に先の撮影に対するレビュー画像が出てきてしまうこと（撮影の時系列とレビュー表示の時系列が入れ違うこと）による、ユーザの混乱を防ぐことができる。もちろん、合成処理の終了を待って、撮影した順番にレビュー画像を表示させることも可能である。
【００８１】
（２）上記の実施形態では、コントローラ１３０は、取得した進捗状況を示す情報として、プログレスバーをスルー画像上に重ねて液晶モニタ１２３に表示するものとした。しかしながら、進捗状況を示す情報としてはプログレスバー以外でもよく、例えば、図１０に示すように、「画像処理中  あと○○秒」等のように、レビュー表示が開始されるまでの目安時間を表示するようにしてもよい。また、単に「画像処理中」、「画像処理中（○○％）」等と表示してもよい。また、処理中であることを示すアイコン等を表示するようにしてもよい。要するに、スルー画像の表示を行いながら並行して撮影した画像データの処理が行われており、近々スルー画像表示からレビュー表示に切り替わることをユーザに報知できるものを表示すればよい。
【００８２】
（３）上記の実施形態では、スルー画像に重ねて画像処理の進捗を表すプログレスバー表示を行う画像処理の一例として、連写した画像の合成処理を説明した。しかしながら、上記の思想を適用する画像処理は、画像合成処理に限られない。すなわち、処理の完了までに比較的長い時間を要する任意の画像処理の実行中に、スルー画像とプログレスバーを合わせて表示するようにしてもよい。すなわち、逆光モードでの画像処理の場合と同じように、一つの画像の撮影開始から、その撮影した画像に対する画像処理が完了するまでの間、スルー画像に重ねて画像処理の進捗を表すプログレスバー表示を行ってもよい。これによって、ユーザが画像処理の終了のタイミングを把握しつつ、次のシャッターチャンスを逃さないようにスルー画像を確認し、撮影を行えるという効果が得られる。そのような画像処理としては、例えば、ミニチュア効果（ジオラマ効果）を演出することを目的とした、画像の上部と下部をぼかすようなフィルタ処理が挙げられる。また、夜景撮影モードにおける連写した画像の合成処理が挙げられる。
【００８３】
また、上記のような比較的処理時間が長い画像処理を実行する特定の撮影モードにおいてのみ、画像処理実行中にスルー画像に重畳したプログレスバー表示を行う制御を実施してもよい。すなわち、撮影モードに応じて、スルー画像に重畳したプログレスバーの表示／非表示を切り替えてもよい。
【００８４】
（４）上記の実施形態では、画像合成部１２２ａにて逆光モード撮影後の合成処理中、表示用画像データ作成部１２２ｂにてスルー画像を生成し、表示する例について説明した。しかしながら、画像合成部１２２ａと表示用画像データ作成部１２２ｂの双方を用いて特殊なスルー画像を作成し、表示する特殊なモードがある。特殊なモードとしては、例えば、多重露光撮影などにおいて、以前撮影した画像に半透過処理をして、スルー画像に重ね合わせるようなモードがある。また、前述のジオラマ効果をスルー画像に反映させるようなモードがある。画像合成部１２２ａが１つしかない場合、画像合成部１２２ａが合成処理を行っている間は、画像合成部１２２ａはスルー画像に関する処理が行えず、前述の特殊なスルー画像を表示することはできない。よって、その場合は、画像合成部１２２ａによる合成処理が終わるまで、表示用画像データ作成部１２２ｂのみから生成される通常のスルー画像にプログレスバーを重畳させて表示するようにしてもよい。その後、合成処理が完了した後、画像合成部１２２ａを用いて生成された特殊なスルー画像表示に切り換えるようにしてもよい。以上の制御により、複数の画像合成部を持たないような画像処理部を持つカメラにおいて、特殊なモードでの撮影を行う時に、スルー画像を提供することができ、シャッターチャンスの逸失を防止できる。
【００８５】
以上のように、本開示における技術の例示として、実施の形態を説明した。そのために、添付図面および詳細な説明を提供した。
【００８６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８７】
また、上述の実施の形態は、本開示における技術を例示するためのものであるから、特許請求の範囲またはその均等の範囲において種々の変更、置き換え、付加、省略などを行うことができる。
【産業上の利用可能性】
【００８８】
本開示は、ユーザにとってよりわかりやすいインタフェースを備えた撮像装置を提供することができるため、デジタルスチルカメラ、デジタルビデオカメラ、携帯電話、スマートフォン等のスルー画像表示機能を備えた電子機器に適用可能である。
【符号の説明】
【００８９】
１００  デジタルカメラ
１１０  光学系
１２０  ＣＣＤイメージセンサ
１２１  ＡＦＥ
１２２  画像処理部
１２２ａ  画像合成部
１２２ｂ  表示用画像データ作成部
１２３  液晶モニタ
１２４  バッファメモリ
１３０  コントローラ
１４０  メモリカード
１４１  カードスロット
１４２  フラッシュメモリ
１５０  操作ユニット
１６０  フラッシュ
６０１  スルー画像
６０２  プログレスバー
７０１  レビュー画像
【図１】
2014075782.tif 000003
【図２】
2014075782.tif 000004
【図３】
2014075782.tif 000005
【図４】
2014075782.tif 000006
【図６】
2014075782.tif 000007
【図７】
2014075782.tif 000008
【図８】
2014075782.tif 000009
【図９】
2014075782.tif 000010
【図５】
2014075782.tif 000011
【図１０】
2014075782.tif 000012